(57)【特許請求の範囲】
【請求項１】
流体の流入量に対応して回転駆動される回転部材に符号盤の回転軸が接続されたパルス発信手段を有する容積式流量計において、
前記回転軸に対して直交するように前記パルス発信手段を構成するケーシングに固定され、かつ鏡面仕上げされたブレーキプレートと、前記回転軸に同期して回動するバネ受け部を介して装着されたコイルバネにより弾圧されて前記ブレーキプレートの上面を弾圧する第１のブレーキパッドと、ワッシャにより弾圧されて前記ブレーキプレートの下面を弾圧する第２のブレーキパッドとを有する容積式流量計。
【発明の詳細な説明】
【０００１】
【発明が属する技術分野】
本発明は、容量式の流量計、より詳細には流量に比例して回動する回転軸のブレーキ機構に関する。
【０００２】
【従来の技術】
給油装置等に使用される容量式流量計は、特開昭59-136618号公報に見られるようにクランク軸と一体のロータリバルブを収容する上部ケーシングの上部を隔壁で覆って耐圧防爆室を形成するとともに、ここにシール部材を介して下端がロータリバルブに接続する回転軸を貫通させ、その上端にカップリングを介して流量パルス発信器を接続し、さらにケーシングを貫通させて出力軸が引出されている。
【０００３】
特に、給油装置に使用される流量計にあっては、計量値の信頼性を確保するため、自由回転を防止するため、計測動作時にはピストンの駆動力で回転可能で、かつ振動等によっては回転を阻止する程度の摩擦トルクを発生するブレーキ機構が設けられている。
このブレーキ機構は、メンテナンスの便を考慮して、ケーシングのピストンの回転軸が引出される領域に、回転軸とケーシングとの間にフッ素樹脂などのパッドを介装して、バネ等により弾圧するように構成されている。
【０００４】
【発明が解決しようとする課題】
しかしながら、ケーシングは、アルミ等のダイキャストにより構成されているため、表面が比較的粗面でパッドが摩耗しやすく寿命が短いばかりでなく、パッドの粉体がケーシングと回転軸との間の軸受部材に侵入して故障を引き起こす等の問題がある。
本発明はこのような問題に鑑みてなされたものであって、その目的とするところは、ブレーキパッドの摩耗を可及的に少なくするともに、ブレーキパッド等の粉体の発生を防止した容積式流量計を提供することである。
【０００５】
【課題を解決するための手段】
このような問題を解消するために本発明においては、流体の流入量に対応して回転駆動される回転部材に符号盤の回転軸が接続されたパルス発信手段を有する容積式流量計において、前記回転軸に対して直交するように前記パルス発信手段を構成するケーシングに固定され、かつ鏡面仕上げされたブレーキプレートと、前記回転軸に同期して回動するバネ受け部を介して装着されたコイルバネにより弾圧されて前記ブレーキプレートの上面を弾圧する第１のブレーキパッドと、ワッシャにより弾圧されて前記ブレーキプレートの下面を弾圧する第２のブレーキパッドとを有する。
【０００６】
【作用】
ブレーキパッドが、鏡面仕上げされたブレーキプレートを弾接しながら回転軸が回転するため、ブレーキパッドの摩耗を可及的に防止しつつ、一定の摩擦トルクを与えて、回転軸の自由回転を防止することができる。
【０００７】
【発明の実施の形態】
そこで以下に本発明の詳細を図示した実施例に基づいて説明する。
図１は、本発明の一実施例をなすパルス発信器付流量計を示すものであって、流入口１から流入した流体をロータリバルブ２と弁座３に設けたポートとを介して一方のシリンダ６に導き、この流体の圧力により一方のピストン７を移動させるとともに、他方のシリンダ６’内の流体を他方のポート５からロータリバルブ２の流出ポート、弁座３の中央ポート８を、クランク室１３を経て流出口９から流出させる。
【０００８】
そしてピストン７、７’の往復動を連結棒１０を介してクランク軸１１に回転運動として伝達し、クランク軸１１に取り付けたロータリバルブ２により流入口１から流入した流体を順次、次のシリンダ６、６’に送り込み、同時にクランク室１３から流出口９へ流体を流出させるように構成されている。
【０００９】
ロータリバルブ２の頂部には後述する流量パルス発信手段を構成する符号盤１４の回転軸１５が取り付けられている。
【００１０】
図中符号１６は、ケーシングで、このケーシング１６は、ピストン７、７’を収容したシリンダ６、６’を有する計量室１７とロータリバルブ２を収容する弁室１８とによって本体ケース１９と、上蓋２０にセパレートされている。なお、計量室１７にはシリンダ６、６’と直交して別個の２つのシリンダが形成され、連結棒１０’に取り付けられたピストン７’が収容されている。弁室１８を構成する上蓋２０には、その頂部に流量パルス発信手段の収容部を構成する頂部ケーシング２１が設けられ、回転軸１５が外に貫通している。
【００１１】
頂部ケーシング２１には符号盤１４の符号を検出する検出手段２２が固定されおり、シール部材２６により封止されたケーブル２７を介して流量パルスを外部に出力するように構成されている。
【００１２】
図２、図３は、頂部ケーシング２１を貫通している回転軸１５の近傍を拡大して示すものであって、回転軸１５の近傍には表裏が鏡面仕上げされたブレーキプレート３０を回転軸１５に対して直交するようにケーシング２１に形成された複数の凸部２１ａによりネジ３１により固定されている。
言うまでもなく、異型のケーシングの所要領域の鏡面加工に比較して、板材の鏡面加工が簡単であるため、ブレーキプレート３０の摺接面を安価に加工することができる。
【００１３】
また、回転軸１５の頂部ケーシング２１から突出した領域は、断面「Ｄ」字状に形成されていて、ブレーキプレート３０の上面、及び下面にはブレーキパッド３２、３３が圧接するように介装されている。
【００１４】
下面のブレーキパッド３２はワッシャ３４を介してＥリング３５により、また上面のブレーキパッド３３は、上部がＥリング３６により回転軸の軸方向への移動規制され、バネ受け部３７、３８とコイルバネ３９とで構成された弾圧部材４０によりブレーキプレートに圧接されている。なお、図中符号４１は、回転軸１５の上端に取付けられたジョイントを示す。
【００１５】
この実施例において、流入口１から流入した流体は、ロータリバルブ２により選択的にシリンダ６に流入してピストン７を摺動させて、流量に比例した速度でクランク軸１１を回転させる。この回転は回転軸１２を介して符号盤１４、及び２枚のブレーキパッド３２、３３を回転させる。また、ブレーキプレート３０は、表裏両面から２枚のパッド３２、３３により挟まれているため、長期間に亘って変形するのが防止される。
【００１６】
これにより、符号検出手段２２から流量に比例した流量パルスが出力され、ケーブル２７により図示しない測定手段に伝送されて、流量として表示され、また必要に応じてはジョイント４１に接続された図示しない機械式カウンタを駆動させる。
【００１７】
ところで、回転軸１５の回転によりブレーキパッド３２、３３は、ブレーキプレート３０に弾圧されて回動して一定の摩擦トルクを生じるが、ブレーキプレート３０が鏡面仕上げされているため、粉体を発生することがなく、これの直下に位置する軸受４２にはブレーキパッド３２、３３から分離した異物が浸入することはない。
【００１８】
一方、流体の流入が停止した状態では、回転軸１５は、２枚のブレーキパッド３２、３３を介して摩擦力を受けるため、振動等により回動するのを確実に阻止される。また、コイルバネ３９を保持するバネ受け部３７、３８は、平面部１５ａの形成により断面「Ｄ」字状の回転軸１５に軸方向に移動可能ではあるが、回転軸１５との間の相対移動が不可能に嵌装されいて、回転軸１５と同期して回転する。これにより、ブレーキパッド３３の摩擦によるコイルバネ３９の捻りがなく、流量計測が終了した時点で回転軸１５が逆転することはない。
【００１９】
なお、上述の実施例においては、ブレーキプレート３０の両面にブレーキパッド３２、３３を弾接させているが、ブレーキプレート３０の一方の面にだけブレーキパッドを弾接させても、回転軸の自由回動を防ぐことが可能である。
【００２０】
また、上述の実施例においては、ブレーキプレート３０を平板として構成しているが、図４に示したようにブレーキパッド３２、３３の摺接面を残すように、この近傍に窓３０ａを形成すると、ブレーキキーパッド３２、３３との摺接面の弾性を確保して、上下のブレーキーパッド３２、３３の押圧力の相違をたわみとして吸収して、片減を防止することができる。
【００２１】
さらに、上述の実施例においては、ピストンーシリンダ型の流量計の回転軸のブレーキングに適用する場合について説明したが、他の容積式流量計の回転軸のブレーキングに適用しても同様の作用を奏することは明らかである。
【図面の簡単な説明】
【図１】本発明の流量計の一実施例を示す断面図である。
【図２】同上流量計の頂部を示す斜視図である。
【図３】ブレーキ機構の近傍を拡大して示す断面図である。
【図４】ブレーキプレートの他の実施例を示す斜視図である
【符号の説明】
１  流入口
２  ロータリバルブ
６、６’  シリンダ
７、７’  ピストン
９  流出口
１４  符号盤
１５  回転軸
２１  頂部ケーシング
３０  ブレーキプレート
３２、３３  ブレーキパッド
３４  ワッシャ
３５、３６  Ｅリング
３７、３８  バネ受け部
４０  弾圧部材
【図１】
0003743493.tif 000002
【図２】
0003743493.tif 000003
【図３】
0003743493.tif 000004
【図４】
0003743493.tif 000005